(57)【要約】【課題】クラック及び破損を防止した駆動回路及び液晶モジュールを提供する。【解決手段】駆動回路は、基板、基板上に配置された駆動チップ、駆動チップに連結された複数の回路配線及び回路配線と並んで配置されて、回路配線等の外側に配置されたダミーパターンを含む。液晶モジュールは、有効画素領域、画素領域周辺に配置された非有効画素領域、有効画素領域に配置されて映像を表示する表示素子、表示素子と連結されて非有効画素領域に延長された信号配線を有する表示パネル及び前記駆動回路を含む。したがって、前記ダミーパターンは前記機械的な衝撃によって前記回路ラインが損傷されて前記液晶モジュールで発生する画像不良等を低減することができるようになる。【選択図】図１
2008015457.tif 000002
【特許請求の範囲】
【請求項１】
基板と、
前記基板上に配置された駆動チップと、
前記駆動チップに連結された複数の回路配線と、
前記回路配線の外側に平行に配置されて機械的衝撃を吸収するダミーパターンと
を含む駆動回路。
【請求項２】
前記ダミーパターンは、振動平面形状が棒状でなることを特徴とする請求項１に記載の駆動回路。
【請求項３】
前記ダミーパターンは、前記ダミーパターンの側面から突出した衝撃吸収部をさらに含むことを特徴とする請求項２に記載の駆動回路。
【請求項４】
前記ダミーパターンは、前記ダミーパターンの側面から突出した静電気除去部をさらに含むことを特徴とする請求項２に記載の駆動回路。
【請求項５】
前記静電気除去部は、前記ダミーパターンの側面から鋸歯形状で突出したことを特徴とする請求項４に記載の駆動回路。
【請求項６】
前記ダミーパターンは、少なくとも一度折り曲げられた曲折部を有することを特徴とする請求項２に記載の駆動回路。
【請求項７】
前記ダミーパターンは、ジグザグ形状を有することを特徴とする請求項６に記載の駆動回路。
【請求項８】
前記ダミーパターンの一側端部には衝撃吸収部が形成され、前記ダミーパターンの一側端部と対向する他側端部には静電気除去パターンが形成されたことを特徴とする請求項２に記載の駆動回路。
【請求項９】
有効画素領域、前記画素領域周辺に配置された非有効画素領域、前記有効画素領域に配置されて映像を表示する表示素子、前記表示素子と連結されて前記非有効画素領域に延長された信号配線を有する表示パネルと、
請求項１ないし８のいずれか１項に記載の駆動回路と
を含む液晶モジュール。
【発明の詳細な説明】
【技術分野】
【０００１】
本発明は、駆動回路及び駆動回路を具備した液晶モジュールに関するものである。
【背景技術】
【０００２】
液晶表示装置は、液晶を利用して映像を表示する液晶モジュールを含む。従来の液晶モジュールは、映像を表示する液晶パネルと、液晶パネル内の表示素子を駆動するための駆動回路を備える。駆動回路は、主に液晶パネルのエッジ上に配置される。
【０００３】
駆動回路は、印刷回路基板で処理された駆動信号を液晶パネルに供給するもので、基板、駆動チップ及び回路配線を備え、印刷回路基板で処理された駆動信号を液晶パネルに送る駆動チップは、フィルム形状を有する基板上に配置され、回路配線は、基板上に配置された駆動チップと電気的に連結される。
【０００４】
液晶パネル及び駆動回路は、異方性導電フィルムによって電気的に連結される。液晶パネルは、複数の薄膜トランジスター及び薄膜トランジスター等に連結された画素電極を含む。薄膜トランジスターは駆動回路から印加された駆動信号に応答して画素電極に画素電圧を提供する。
【０００５】
液晶パネルは、薄膜トランジスターと電気的に連結された信号配線を含み、信号配線の端部には前記駆動回への回路配線と電気的に連結されるパッド部を含む。駆動回路の回路配線及び液晶パネルの信号配線はオーバーラップされて、回路配線及び信号配線は異方性導電フィルム(Anisotropic Conductive Film:ＡＣＦ)によって電気的に連結される。異方性導電フィルムは微細導電ボールを含む。
【０００６】
前述した従来の駆動回路は、フィルム形状の基板に形成されているため、撓めるとか折ることができる長所を有する。これにより、液晶モジュールの全体サイズを減らすことができる長所を有する。しかし、駆動回路を折るとか曲がる場合、駆動回路上に形成された回路配線が損傷または切断されることがある。
【０００７】
一方、液晶モジュールは、液晶パネルの端部に配置された複数の駆動回路及び駆動回路に電気的に連結された印刷回路基板を含み、液晶パネルと駆動回路及び駆動回路と印刷回路基板は、それぞれ異方性導電フィルムによって電気的に連結される。ここで、印刷回路基板を異方性導電フィルムで前記駆動回路に付着するために異方性導電フィルムに熱及び圧力が印加される。また、前記印刷回路基板及び駆動回路を付着した後、印刷回路基板は冷却する。よって、駆動回路に電気的に連結される印刷回路基板は、駆動回路に電気的に連結される時、膨脹し、以後収縮される。
【０００８】
このように、印刷回路基板が収縮及び膨脹されることによって、液晶モジュールには大きい応力(stress)が発生し、応力によって印刷回路基板及び駆動回路のクラック及び破損が発生される。これとは異なり、印刷回路基板及び/または駆動回路に、振動及び衝撃が印加される場合、印刷回路基板及び/または駆動回路が容易に破損されることがある。
【発明の開示】
【発明が解決しようとする課題】
【０００９】
本発明は上述した点に鑑みてなされたもので、応力、振動及び衝撃などによる損傷を抑制することができる駆動回路及び液晶モジュールを提供するものである。
【課題を解決するための手段】
【００１０】
本発明による駆動回路は、基板と、基板に配置された駆動チップと、駆動チップに連結された複数の回路配線と、回路配線の外側に配置されて機械的衝撃を吸収するダミーパターンとを含む。
【００１１】
また、本発明による液晶モジュールは、有効画素領域、画素領域周辺に配置された非有効画素領域、有効画素領域に配置されて映像を表示する表示素子、表示素子と連結されて非有効画素領域に延長された信号配線を有する表示パネルと、前記駆動回路とを含む。
【発明の効果】
【００１２】
本発明によれば、駆動回路に機械的衝撃を吸収するダミーパターンを備えることで、回路配線が振動及び衝撃などにより損傷されるのを抑制することができ、回路配線が損傷されて液晶モジュールに発生する画像不良等を低減することができる。
【発明を実施するための最良の形態】
【００１３】
以下、添付した図面に基づいて本発明による駆動回路及びこれを具備した液晶モジュールの実施の形態を詳細に説明する。
【００１４】
図１は、本発明による液晶モジュールを図示した平面図である。また、図２Ａは、図１の駆動回路の部分を拡大した拡大図であり、図２Ｂは、図１のＶ−Ｖ'線に沿って切断した断面図である。
【００１５】
図１、図２Ａ及び図２Ｂを参照すれば、液晶モジュール１は、映像を表示するための表示素子を有する液晶パネル１０、図示しない情報処理装置からの映像信号を処理すると共に駆動信号を発生する印刷回路基板２００及び駆動信号を液晶パネル１０に提供する駆動回路１００を含む。
【００１６】
液晶パネル１０は、有効画素領域(effective pixel region：ＥＰＲ)及び非有効画素領域(non-effective pixel region：ＮＥＰＲ)を含む。有効画素領域ＥＰＲには表示素子（図示せず）が配置される。表示素子は、薄膜トランジスター及び薄膜トランジスターに電気的に連結された画素電極を含む。
【００１７】
各薄膜トランジスターに駆動回路１００で発生した駆動信号を印加する為に、薄膜トランジスターには信号配線が連結されて、信号配線は液晶パネル１０の有効画素領域ＥＰＲから非有効画素領域ＮＥＰＲに延長される。
【００１８】
一方、信号配線の端部には、後述する駆動回路１００の回路配線１２０と電気的に連結されるパッド部２５が形成される。
【００１９】
表示素子に駆動信号を提供する駆動回路１００は、液晶パネル１０の非有効画素領域ＮＥＰＲに少なくとも１個配置される。
【００２０】
印刷回路基板２００は、情報処理装置から発生された映像信号の入力を受けて駆動信号を発生する。
【００２１】
駆動回路１００は、基板１３０、駆動チップ１１０、回路配線（図２Ａ参照：１２０）及びダミーパターン１６０を含む。
【００２２】
基板１３０は、薄い厚さを有する合成樹脂材質で製作され、平面上で見た時、実質的に直方形の形状を有する。具体的には、基板１３０は、熱膨脹係数が小さく、柔軟性の優れた、薄い厚さを有する合成樹脂基板を含む。基板１３０で使用することができる物質の例としては、ポリイミド等を用いることができる。
【００２３】
駆動チップ１１０は、基板１３０上に形成されて、液晶パネル１０の画素領域に配置された表示素子に駆動信号を印加する。駆動チップ１１０は、例えば、表面実装技術（Surface Mounting Technology、ＳＭＴ）などによって基板１３０上に直接実装することができる。
【００２４】
回路配線１２０は、印刷回路基板２００及び駆動チップ１１０を電気的に連結及び駆動チップ１１０及び液晶パネル１０の信号配線を電気的に連結する。回路配線１２０で使われることができる物質の例としては、銅、銀等を用いることができる。
【００２５】
本実施の形態において、回路配線１２０は、基板１３０上にスパッタリングまたはメッキによって金属膜を形成した後パターニングして形成され、微細な間隔で形成される。
【００２６】
図２Ｂを再び参照すれば、駆動回路１００の回路配線１２０は、液晶パネル１０の信号配線の端部に形成されたパッド部２５と電気的に連結され、回路配線１２０及びパッド部２５は、異方性導電フィルム１４０によって電気的に連結される。
【００２７】
異方性導電フィルム１４０は、接着性を有するレジン及びレジンに含まれた微細導電ボール等を含み、前記パッド部２５及び回路配線１２０は、導電ボール等によって電気的に連結される。
【００２８】
図３は、本発明による液晶モジュールで伝達する応力を低減するダミーパターンを図示した平面図である。図３を参照すれば、駆動回路１００の基板１３０上にはダミーパターン１６０が配置される。
【００２９】
本発明の一実施の形態によるダミーパターン１６０は、回路配線１２０に対して外側に所定間隔離隔された所に配置される。基板１３０上に配置されたダミーパターン１６０は、回路配線１２０周辺で発生する応力、振動及び衝撃などを遮断及び/または吸収して回路配線１２０がクラック及び損傷されることを防止する。
【００３０】
本実施の形態において、ダミーパターン１６０は、前記パッド部２５とは電気的に断線されるようにすることが望ましい。
【００３１】
また、本実施の形態において、前記ダミーパターン１６０は、平面上で見た時、棒状でなり、前記回路 配線１２０と実質的に平行な方向に配置される。これとは異なり、ダミーパターン１６０は、少なくとも一回以上折り曲げられた形状を有するとかジグザグ形状を有することができる。
【００３２】
応力、振動及び衝撃を効率的に吸収するため、ダミーパターン１６０は、回路配線１２０及びパッド部２５がオーバーラップされる連結領域に形成されることが望ましい。又は、応力、振動及び衝撃をより効率的に吸収するため、ダミーパターン１６０は、ダミーパターンの側面から突出した衝撃吸収部１６５をさらに含むことができる。衝撃吸収部１６５は、平面上で見た時、ダミーパターン１６０の一部面積を増加させて形成することができる。
【００３３】
衝撃吸収部１６５は、平面上で見た時、半円プレート形状に形成することができる。これとは異なり、衝撃吸収部１６５は、平面上で見た時、三角形形状、四角形形状及び多角形形状に形成することができ、さらに多様な形状にも形成することができる。
【００３４】
一方、回路配線１２０周辺で発生する静電気を除去するために、ダミーパターン１６０は、静電気除去パターン１６２をさらに含むことができる。静電気除去パターン１６５は、ダミーパターン１６０の側面から鋸歯形状に突出される。これとは異なり、静電気除去パターン１６２は、鋸歯形状の代わりに棒形状でダミーパターン１６０の側面から突出するようにしても良い。
【００３５】
本実施の形態において、ダミーパターン１６０の一側端部には衝撃吸収部１６５が形成され、一側端部と対向する他側端部には静電気除去パターン１６２が形成される。これとは異なり、ダミーパターン１６０の一側端部に衝撃吸収部１６５及び静電気除去パターン１６２を一緒に形成してもよい。
【００３６】
本発明による駆動回路及びこれを具備した液晶モジュールは、前記駆動回路に機械的衝撃を吸収することができるダミーパターンを備え、回路配線が前記機械的な衝撃により露出することを最小化することができる。したがって、前記ダミーパターンは、前記機械的な衝撃によって前記回路配線が損傷されて前記液晶モジュールに発生する画像不良等を低減することができるようになる。
【図面の簡単な説明】
【００３７】
【図１】本発明による液晶モジュールを図示した平面図。
【図２Ａ】図１のＡ領域の拡大斜視図。
【図２Ｂ】図１のＶ−Ｖ'による断面図。
【図３】本発明による液晶モジュールで伝達する応力を低減するダミーパターンを図示した平面図。
【符号の説明】
【００３８】
１  液晶モジュール  １０  液晶パネル
１００  駆動回路  ２００  印刷回路基板
ＥＰＲ  有効画素領域  ＮＥＰＲ  非有効画素領域
１２０  回路配線  ２５  パッド部
１３０  基板  １２０  回路配線
１６０  ダミーパターン
【図１】
2008015457.tif 000003
【図２Ａ】
2008015457.tif 000004
【図２Ｂ】
2008015457.tif 000005
【図３】
2008015457.tif 000006